(57)【要約】【課題】本発明は塗布されるスラリーの幅を調節できるスロットダイを提供する。【解決手段】スラリーが貯蔵される貯蔵部を有する第１ダイと、前記貯蔵部をカバーするように前記第１ダイと結合する第２ダイと、前記第１ダイと前記第２ダイとの間に介在し、一側に開放部が形成される固定スペーサと、前記第１ダイと前記第２ダイとの間で前記開放部に位置し、前記スラリーが吐き出される幅を決める少なくとも一つの移動スペーサと、前記移動スペーサを移動させる調節装置を含むスロットダイが提供される。【選択図】図１
2013176748.tif 000002
【特許請求の範囲】
【請求項１】
スラリーが貯蔵される貯蔵部を有する第１ダイと、
前記貯蔵部をカバーするように前記第１ダイと結合する第２ダイと、
前記第１ダイと前記第２ダイとの間に介在し、一側に開放部が形成された固定スペーサと、
前記第１ダイと前記第２ダイとの間で前記開放部に位置し、前記スラリーが吐き出される幅を決める少なくとも一つの移動スペーサと、
前記移動スペーサを移動させる調節装置を含むことを特徴とするスロットダイ。
【請求項２】
前記第１ダイは前記開放部が位置する第１面と、前記第１面と対向する第２面と、前記第１面と前記第２面を連結する第３面および第４面を含み、
前記貯蔵部に貯蔵されたスラリーは前記第１面を通して吐き出されることを特徴とする請求項１に記載のスロットダイ。
【請求項３】
前記移動スペーサは、
第１移動スペーサおよび前記第１移動スペーサと左右対称になる第２移動スペーサを含み、
前記第１移動スペーサと前記第２移動スペーサとは互いに分離されることを特徴とする請求項１に記載のスロットダイ。
【請求項４】
前記第１移動スペーサは、
中央に楕円形からなる第１ガイドホールと、
前記第１ガイドホールと離隔し、円形からなる第１基準ホールと、
前記第１基準ホールの外周縁に形成され、前記第１移動スペーサの厚さより相対的に薄く形成される第１結合部と、
前記第１移動スペーサの外側角部に形成される第１角部を含むことを特徴とする請求項３に記載のスロットダイ。
【請求項５】
記第１角部にはチャンファが形成され、前記第１角部がなす角は鋭角であることを特徴とする請求項４に記載のスロットダイ。
【請求項６】
前記第２移動スペーサは、
中央に楕円形からなる第２ガイドホールと、
前記第２ガイドホールと離隔し、円形からなる第２基準ホールと、
前記第２基準ホールの外周縁に形成され、前記第２移動スペーサの厚さより相対的に薄く形成される第２結合部と、  前記第２移動スペーサの外側角部に形成される第２角部を含み、
前記第２結合部は前記第１結合部と結合することを特徴とする請求項４に記載のスロットダイ。
【請求項７】
前記第２角部にはチャンファが形成され、前記第２角部がなす角は鋭角であることを特徴とする請求項６に記載のスロットダイ。
【請求項８】
前記調節装置は、
前記移動スペーサと結合し、前記移動スペーサが移動する中心軸になる基準ピンと、
前記移動スペーサと結合し、前記移動スペーサを移動させる偏心ピンと、
前記偏心ピンを回転させる駆動部を含むことを特徴とする請求項１に記載のスロットダイ。
【請求項９】
前記偏心ピンは、
前記第１ダイを貫通するメイン柱と、
前記メイン柱の上部に形成され、前記メイン柱の直径より大きく形成される支持部と、
前記支持部の上部に形成され、前記支持部の直径より小さく形成される偏心部を含むことを特徴とする請求項８に記載のスロットダイ。
【請求項１０】
前記メイン柱と前記支持部の中心は同じであり、
前記偏心部は前記メイン柱および前記支持部の中心から一側に偏心するように形成されたことを特徴とする請求項９に記載のスロットダイ。
【請求項１１】
前記移動スペーサは、
前記偏心ピンと結合し、楕円形からなるガイドホールと、
前記基準ホールと結合し、円形からなる基準ホールを含み、
前記移動スペーサは前記偏心ピンの回転によって移動することを特徴とする請求項８に記載のスロットダイ。
【請求項１２】
前記駆動部はウォームギア減速機を適用したギヤボックスとモータによって、前記偏心ピンを回転させることを特徴とする請求項８に記載のスロットダイ。
【請求項１３】
前記調節装置はスラリーがコーティングされる幅をリアルタイムでモニタリングし、前記スラリーが塗布される幅が設定値と異なれば自動的に前記移動スペーサをフィードバック制御することを特徴とする請求項８に記載のスロットダイ。
【請求項１４】
前記調節装置はスラリーがコーティングされる速度、移動スペーサの移動精度、コーティング幅の設定値と測定値との差の程度、時間間隔によるチェック、及び／又は同じ方向カウントなどによって前記偏心ピンを調節することを特徴とする請求項８に記載のスロットダイ。
【請求項１５】
前記移動スペーサは一体に形成されることを特徴とする請求項１に記載のスロットダイ。
【請求項１６】
前記移動スペーサは、
第１移動スペーサと、
前記第１移動スペーサと左右対称になる第２移動スペーサと、
前記第１移動スペーサおよび前記第２移動スペーサの幅より相対的に薄く形成される変形部を含むことを特徴とする請求項１５に記載のスロットダイ。
【請求項１７】
前記移動スペーサは横方向に長く形成されるホールを含み、
前記変形部は前記ホールの両側に形成されることを特徴とする請求項１６に記載のスロットダイ。
【請求項１８】
前記第１移動スペーサおよび前記第２移動スペーサは前記変形部が反りにより移動することを特徴とする請求項１６に記載のスロットダイ。
【発明の詳細な説明】
【技術分野】
【０００１】
本発明は、コーティング幅が調節可能なスロットダイに関する。
【背景技術】
【０００２】
一つの物質層上に他の物質層を積層するために塗布方法を使用する場合が多い。塗布のためには積層される物質が、溶液やコーティング液形態になるように、溶媒や分散媒によって液状をなすことになる。溶液やコーティング液を広い面積に比較的に薄く塗布する装備として、ダイコーター等を用いることができ、ダイコーターには一方に長く形成されるスロットダイを用いることができる。このようなスロットダイは一定の幅で基材に物質層を形成することができる。
【０００３】
通常、スロットダイは、例えば万年筆でインクがペン先の先端から出るように、スロットダイの二切れで分かれた先端の隙間からコーティング液（以下、溶液を含む広い意味の塗布液の概念として用いる）を排出する。そして、スロットダイ自体が動いたり、基材を動かして基材の上端面にコーティング液を塗布することになる。スロットダイを用いた塗布方法は、維持補修および生産性の側面から他のコーティング方法に比べて優れており、現在まで平板ディスプレイ装置のパネル製造や２次電池の電極で集電体に活物質を塗布するために用いることができる。
【発明の概要】
【発明が解決しようとする課題】
【０００４】
本発明は、塗布されるスラリーのコーティング幅をリアルタイムで自動的に調節できるスロットダイを提供することを目的とする。
【課題を解決するための手段】
【０００５】
本発明によるスロットダイはスラリーが貯蔵される貯蔵部を有する第１ダイと、前記貯蔵部をカバーするように前記第１ダイと結合する第２ダイと、前記第１ダイと前記第２ダイとの間に介在し、一側に開放部が形成された固定スペーサと、前記第１ダイと前記第２ダイとの間で前記開放部に位置し、前記スラリーが吐き出される幅を決める少なくとも一つの移動スペーサと、および前記移動スペーサを移動させる調節装置を含む。
【０００６】
また、第１ダイは前記開放部が位置する第１面と、前記第１面と対向する第２面と、前記第１面と前記第２面を連結する第３面および第４面を含み、前記貯蔵部に貯蔵されたスラリーは前記第１面を通して吐き出すことができる。
【０００７】
また、前記移動スペーサは、第１移動スペーサおよび前記第１移動スペーサと左右対称になる第２移動スペーサを含み、前記第１移動スペーサと前記第２移動スペーサとは互いに分離できる。
【０００８】
また、前記第１移動スペーサは中央に楕円形からなる第１ガイドホールと、前記第１ガイドホールと離隔し、円形からなる第１基準ホールと、前記第１基準ホールの外周縁に形成され、前記第１移動スペーサの厚さより相対的に薄く形成された第１結合部と、および前記第１移動スペーサの外側角部に形成された第１角部を含むことができる。
【０００９】
また、前記第１角部には面取り（チャンファ：chamfer）が形成され、前記第１角部がなす角は鋭角であることができる。
【００１０】
また、前記第２移動スペーサは中央に楕円形からなる第２ガイドホールと、前記第２ガイドホールと離隔し、円形からなる第２基準ホールと、前記第２基準ホールの外周縁に形成され、前記第２移動スペーサの厚さより相対的に薄く形成された第２結合部と、および前記第２移動スペーサの外側角部に形成された第２角部を含み、前記第２結合部は前記第１結合部と結合できる。
【００１１】
また、前記第２角部にはチャンファが形成され、前記第２角部がなす角は鋭角であることができる。
【００１２】
また、前記調節装置は前記移動スペーサと結合し、前記移動スペーサが移動する中心軸になる基準ピンと、前記移動スペーサと結合し、前記移動スペーサを移動させる偏心ピンと、および前記偏心ピンを回転させる駆動部を含むことができる。
【００１３】
また、前記偏心ピンは前記第１ダイを貫通するメイン柱と、前記メイン柱の上部に形成され、前記メイン柱の直径より大きく形成される支持部、および前記支持部の上部に形成され、前記支持部の直径より小さく形成される偏心部を含むことができる。
【００１４】
また、前記メイン柱と前記支持部の中心は同じであり、前記偏心部は前記メイン柱および前記支持部の中心から一側に偏心されるように形成されることができる。
【００１５】
また、前記移動スペーサは前記偏心ピンと結合し、楕円形からなるガイドホール、および前記基準ホールと結合し、円形からなる基準ホールを含み、前記移動スペーサは前記偏心ピンが回転することによって移動することができる。
【００１６】
また、前記駆動部はウォームギア減速機を適用したギヤボックスとモータによって、前記偏心ピンを回転させることができる。
【００１７】
また、前記調節装置はスラリーがコーティングされる幅をリアルタイムでモニタリングし、前記スラリーが塗布される幅（測定値）が設定値と異なれば自動的に前記移動スペーサをフィードバック制御することができる。或いは、設定値にある程度範囲を持たせて、測定値がその範囲内にあるか否か（逸脱したか）に応じて前記フィードバック制御を行ってもよい。さらには、測定値と設定値との差が所定の範囲内にあるか否か（逸脱したか）に応じて前記フィードバック制御を行ってもよい。
【００１８】
また、前記調節装置はスラリーがコーティングされる速度、移動スペーサの移動精度、コーティング幅が逸脱した程度、時間間隔によるチェック、及び／又は同じ方向カウントなどによって前記偏心ピンを調節することができる。もちろん、これらのうちの適当な組み合わせによってもよい。
【００１９】
また、前記移動スペーサは一体型からなることができる。また、前記移動スペーサは第１移動スペーサと、前記第１移動スペーサと左右対称になる第２移動スペーサと、および前記第１移動スペーサおよび前記第２移動スペーサの幅より相対的に薄く形成される変形部を含むことができる。
【００２０】
また、前記移動スペーサは横方向に長く形成されるホールを含み、前記変形部は前記ホールの両側に形成されることができる。また、前記第１移動スペーサおよび前記第２移動スペーサは前記変形部が反ることによって、移動することができる。
【発明の効果】
【００２１】
本発明の一実施例によるスロットダイは、第１ダイと第２ダイとの間に介在する移動スペーサを含み、前記移動スペーサを内側または外側に移動させることによって、基材に塗布されるスラリーのコーティング幅をリアルタイムで自動的に調節できる。
【００２２】
また、本発明の一実施例によるスロットダイは、中心から一側に偏心した偏心ピンを備え、前記偏心ピンを回転させることによって移動スペーサを内側または外側に移動させることができる。
【図面の簡単な説明】
【００２３】
【図１】本発明の一実施例によるスロットダイを示す分解斜視図である。
【図２】本発明の一実施例によるスロットダイを示す側面図である。
【図３】図１に示されている第１ダイの平面図である。
【図４ａ】本発明の一実施例によるスロットダイから吐き出されたスラリーが基材に塗布される形態を示す平面図である。
【図４ｂ】本発明の一実施例によるスロットダイから吐き出されたスラリーが基材に塗布される形態を示す側面図である。
【図５】図１に示されているＡ部分の拡大図である。
【図６ａ】図１に示されている移動スペーサの平面図である。
【図６ｂ】図１に示されている移動スペーサの平面図である。
【図７ａ】移動スペーサの動きを示す平面図である。
【図７ｂ】移動スペーサの動きを示す平面図である。
【図８ａ】図１に示されている偏心ピンの斜視図および平面図である。
【図８ｂ】図１に示されている偏心ピンの斜視図および平面図である。
【図９】本発明の他の実施例による移動スペーサの平面図である。
【発明を実施するための形態】
【００２４】
以下、本発明の属する技術分野で通常の知識を有する者が本発明を容易に実施できるように、本発明の望ましい実施例を添付図面を参照して詳細に説明する。
【００２５】
図１は、本発明の一実施例によるスロットダイを示す分解斜視図である。図２は、本発明の一実施例によるスロットダイを示す側面図である。図３は、図１に示されている第１ダイの平面図である。図４ａおよび図４ｂは、本発明の一実施例によるスロットダイから吐き出されたスラリーが基材に塗布される形態を示す平面図および側面図である。図５は、図１に示されているＡ部分の拡大図である。図６ａおよび図６ｂは、図１に示されている移動スペーサの平面図である。図７ａおよび図７ｂは、移動スペーサの動きを示す平面図である。図８ａおよび図８ｂは、図１に示されている偏心ピンの斜視図および平面図である。
【００２６】
図１乃至図５を参照すれば、本発明の一実施例によるスロットダイ１００は第１ダイ１１０、第２ダイ１２０、固定スペーサ１３０、移動スペーサ１４０および調節装置１５０を含む。
【００２７】
前記第１ダイ１１０はほぼ六面体状からなり、平らな上面１１０ａおよび平らな下面１１０ｂを有する。前記第１ダイ１１０の上面１１０ａはほぼ長方形状からなり、中央にはスラリーが貯蔵される溝である貯蔵部１１５が形成されている。したがって、前記第１ダイ１１０の上面１１０ａは前記貯蔵部１１５の外周縁を沿って長方形の帯状に形成され、前記第１ダイ１１０の長さ方向に形成され、互いに向き合う第１側の面１１１及び第２側の面１１２と、前記第１側の面１１１及び第２側の面１１２を連結し、互いに向き合う第３側の面１１３及び第４側の面１１４とを含む。
【００２８】
前記第１側の面１１１（以下、第１面１１１という）はスラリーが吐き出される面であり、前記第２側の面１１２（以下、第２面１１２という）、第３側の面１１３（以下、第３面１１３という）および第４側の面１１４（以下、第４面１１４という）は固定スペーサ１３０が結合する面である。
【００２９】
ここで、前記第１面１１１には移動スペーサ１４０が結合する。前記第１面１１１には、図５に示すように結合ホールが形成され、前記結合ホールには前記調節装置１５０の基準ピン１５１と偏心ピン１５２とが嵌入することで、前記第１面１１１上に結合された移動スペーサ１４０と前記調節装置１５０とが結合する。前記結合ホールは基準ピン１５１が嵌入する一つのホールと偏心ピン１５２が嵌入する二つのホールの総計三つのホールが一つの組をなし、一定間隔離隔して形成されることができる。ここで、前記第１面１１１の両端部に形成される結合ホールは基準ピン１５１と偏心ピン１５２がそれぞれ一つずつだけ嵌入するように二つのホールが形成される。
【００３０】
また、前記貯蔵部１１５にはスラリーが注入される注入口１１６が形成されている。前記注入口１１６を通じて注入されたスラリーは前記貯蔵部１１５に貯蔵され、前記第１面１１１を通じて外部に吐き出される。
【００３１】
前記第２ダイ１２０は前記第１ダイ１１０と対向して形成され、前記貯蔵部１１５をカバーするように前記第１ダイ１１０と結合する。前記第２ダイ１２０は平らな上面１２０ａおよび平らな下面１２０ｂを有し、前記下面１２０ｂは前記第１ダイ１１０の上面１１０ａと対向するように形成される。つまり、前記第２ダイ１２０の下面１２０ｂと前記第１ダイ１１０の上面１１０ａとが互いに向き合っている。
【００３２】
前記固定スペーサ１３０は前記第１ダイ１１０と前記第２ダイ１２０との間に介在する。前記固定スペーサ１３０は、前記第１ダイ１１０の第２面１１２、第３面１１３および第４面１１４を連結した形態と、対応する形態に形成され、一側に開放部１３１が形成される。つまり、前記固定スペーサ１３０はほぼ‘コ’字形態に形成されて、前記第１ダイ１１０の上面１１０ａに結合固定される。また、前記固定スペーサ１３０の厚さは前記スラリーが塗布される量と関連する。前記固定スペーサ１３０の厚さが厚いほど前記第１ダイ１１０と第２ダイ１２０との間の間隔が広くなって前記第１面１１１を通じて吐き出されるスラリーの量が多くなり、前記固定スペーサ１３０の厚さが薄いほど前記第１ダイ１１０と第２ダイ１２０との間の間隔が狭くなって前記第１面１１１を通じて吐き出されるスラリーの量が少なくなる。つまり、前記固定スペーサ１３０はスラリーが基材１０に塗布される厚さを決定する。
【００３３】
前記移動スペーサ１４０は前記第１ダイ１１０と前記第２ダイ１２０との間に介在する。前記移動スペーサ１４０は前記第１ダイ１１０の第１面１１１に形成され、前記固定スペーサ１３０の開放部１３１に位置する。前記移動スペーサ１４０は前記第１面１１１に相互に一定間隔離隔して複数個形成されることができる。図３に示すように、前記移動スペーサ１４０の離隔間隔によって基材１０（図４ａに示す）に塗布されるスラリーの幅Ｗが決定される。また、前記移動スペーサ１４０は前記固定スペーサ１３０の厚さと同一に形成される。前記貯蔵部１１５に貯蔵されたスラリーが前記移動スペーサ１４０間の離隔した部分に吐き出される。図３においては、前記移動スペーサ１４０が３ヶ所形成されており、スラリーが２ヶ所から吐き出されることを示しているが、前記移動スペーサ１４０は、３ヶ所よりさらに多く、例えば４ヶ所、５ヶ所、６ヶ所・・・ｎヶ所（ｎは整数）形成されたり、さらに２ヶ所のように少なく形成されることができる。
【００３４】
図６ａおよび図６ｂを参照すれば、前記移動スペーサ１４０は第１移動スペーサ１４１および第２移動スペーサ１４２を含む。ここで、前記第１移動スペーサ１４１と前記第２移動スペーサ１４２とは互いに分離形成され、左右対称に形成される。また、図７ａおよび図７ｂに示すように、前記移動スペーサ１４０は前記第１移動スペーサ１４１および前記第２移動スペーサ１４２を内側に狭くするか、外側に広くしてスラリーが吐き出される幅を調節することができる。
【００３５】
前記第１移動スペーサ１４１は第１基準ホール１４１ａ、第１ガイドホール１４１ｂ、第１結合部１４１ｃおよび第１角部１４１ｄを含む。
【００３６】
前記第１基準ホール１４１ａは円形からなり、前記第１基準ホール１４１ａには調節装置１５０の基準ピン１５１が嵌入する。また、前記第１基準ホール１４１ａは前記基準ピン１５１の直径と同一に形成される。スラリーの吐き出される幅を調節するために、前記第１移動スペーサ１４１が内側または外側に移動されるとき、中心軸の役割を果たす。
【００３７】
前記第１ガイドホール１４１ｂは楕円形からなり、前記第１ガイドホール１４１ｂには調節装置１５０の偏心ピン１５２が嵌入する。また、前記第１ガイドホール１４１ｂは前記偏心ピン１５２の直径より大きく形成されて、前記偏心ピン１５２の円滑な移動を許容する。
【００３８】
前記第１結合部１４１ｃは前記第１基準ホール１４１ａの外周縁に形成された領域であり、前記第１結合部１４１ｃは前記第１移動スペーサ１４１の厚さより相対的に薄く形成される。ここで、前記第１結合部１４１ｃは前記第２移動スペーサ１４２の第２結合部１４２ｃと結合するので、結合したときの合計の厚さを考慮して、その厚さが薄く形成される。
【００３９】
前記第１角部１４１ｄは前記第１移動スペーサ１４１の外周縁に形成される。前記第１角部１４１ｄには面取り部（チャンファ：chamfer）が形成され、前記第１角部１４１ｄがなす角は鋭角になる。また、前記第１角部１４１ｄはスラリーが吐き出されるとき、スラリーが前記移動スペーサに乗って移動することを防止してスラリーが塗布される幅を一定に維持することができる。特に、図７ｂに示すように、前記第１角部１４１ｄにはチャンファが形成されているので、前記移動スペーサ１４０の前記第１移動スペーサ１４１及び前記第２移動スペーサ１４２を相互に、或いはいずれか一方を外側に開いて、前記二つの移動スペーサ１４１及び１４２の前記中心軸を中心にした角度を広くしてスラリーが吐き出される幅を狭くするとき、スラリーが移動スペーサ１４０に乗って移動することを防止することができる。もちろん、図７ａに示すように、前記中心軸を中心にした前記二つの移動スペーサ１４１及び１４２の角度を狭くし、あるいはそれらの間を閉じて、スラリーが吐き出される幅を広くすることもできる。このように、前記移動スペーサ１４０は前記第１角部１４１ｄにチャンファを形成することによって、スラリーが塗布される幅を同一に維持できる。
【００４０】
前記第２移動スペーサ１４２は第２基準ホール１４２ａ、第２ガイドホール１４２ｂ、第２結合部１４２ｃおよび第２角部１４２ｄを含む。前記第２移動スペーサ１４２は前記第１移動スペーサ１４１をひっくり返したような形状で、前記第２移動スペーサ１４２と第１移動スペーサ１４１とは左右対称である。したがって、前記第２移動スペーサ１４２についての説明は省略する。
【００４１】
前記スラリーが吐き出される幅は隣り合う移動スペーサ１４０間の間隔である。より詳しくは、図３に示された３ヶ所の移動スペーサを参照して説明する。以下では、図３の紙面に向かって左側の移動スペーサから１番目(左側)、２番目（中央）、３番目（右側）と識別して説明する。前記スラリーが吐き出される幅は１番目の移動スペーサのうち、第１移動スペーサ１４１の第１角部１４１ｄから２番目の移動スペーサのうち、第２移動スペーサ１４２の第２角部１４２ｄまでの幅Ｗを言う。同様に、２番目の移動スペーサの第１移動スペーサ１４１の第１角部１４１ｄから３番目の移動スペーサの第２移動スペーサ１４２の第２角部１４２ｄまでの幅Ｗを言う。
【００４２】
したがって、図７ａに示すように、前記第１移動スペーサ１４１および第２移動スペーサ１４２が内側に狭くなればスラリーが吐き出される幅が広くなることになる。また、図７ｂに示すように、前記第１移動スペーサ１４１および第２移動スペーサ１４２が外側に広くなればスラリーが吐き出される幅が狭くなることになる。
【００４３】
前記調節装置１５０は前記第１ダイ１１０に形成された結合ホールを通して前記移動スペーサ１４０と結合し、前記移動スペーサ１４０を内側または外側に調節してスラリーが吐き出される幅を決定する。前記調節装置１５０は基準ピン１５１、偏心ピン１５２および駆動部１５３を含む。
【００４４】
前記基準ピン１５１は、前記第１ダイ１１０を貫通して前記第１移動スペーサ１４１の第１基準ホール１４１ａおよび前記第２移動スペーサ１４２の第２基準ホール１４２ａに嵌入する。このとき、前記第１基準ホール１４１ａと第２基準ホール１４２ａとは互いに重なることになる。前記基準ピン１５１は前記第１ダイ１１０に固定されており、前記移動スペーサ１４０が移動できる中心軸のような役割を果たす。
【００４５】
前記偏心ピン１５２は、前記第１ダイ１１０を貫通して前記第１移動スペーサ１４１の第１ガイドホール１４１ｂおよび前記第２移動スペーサ１４２の第２ガイドホール１４２ｂに嵌入する。前記偏心ピン１５２は回転運動をして前記移動スペーサ１４０の第１移動スペーサ１４１と第２移動スペーサ１４２とを前記基準ピン１５１を中心軸として、その中心軸と二つの移動スペーサ１４１及び１４２の作り出す角度が広がるように外側に或いは前記角度が狭くなるように内側に移動させる。前記偏心ピン１５２は第１移動スペーサ１４１および第２移動スペーサ１４２と結合するように二つが一対からなることができる。そして、前記第１ダイ１１０の第１面１１１の両端部に形成された偏心ピン１５２はそれぞれ一つであることができる。図８ａおよび図８ｂを参照すれば、前記偏心ピン１５２はメイン柱１５２ａ、支持部１５２ｂおよび偏心部１５３ｃを含む。
【００４６】
前記メイン柱１５２ａは前記第１ダイ１１０を貫通して形成され、上部には支持部１５２ｂおよび偏心部１５２ｃが形成され、下部には駆動部１５３が結合する。前記メイン柱１５２ａは、下部に結合される駆動部１５３によって回転する。
【００４７】
前記支持部１５２ｂは前記メイン柱１５２ａの上部に形成され、前記メイン柱１５２ａの直径より大きく形成される。前記支持部１５２ｂは前記移動スペーサ１４０を支持して定着される部分である。
【００４８】
前記偏心部１５２ｃは前記支持部１５２ｂの上部に形成され、前記支持部１５２ｂの直径より小さく形成される。前記偏心部１５２ｃは前記支持部１５２ｂの中心から一側にずれて偏心するように形成される。したがって、前記支持部１５２ｂの中心と前記偏心部１５２ｃの中心とは互いに一致せず、前記偏心部１５２ｃの中心は、前記支持部１５２の中心から一側に偏心しているので、距離差Ｄ１が発生する。ここで、前記メイン柱１５２ａと前記支持部１５２ｂの中心とは互いに一致する。前記偏心部１５２ｃは前記移動スペーサ１４０のガイドホール１４１ｂ、１４２ｂに嵌入し、前記偏心部１５２ｃの回転半径により前記移動スペーサ１４０が前記内側または前記外側に移動することになる。ここで、前記偏心部１５２ｃは前記メイン柱１５２ａおよび支持部１５２ｂの中心から偏心しているので、前記偏心ピン１５２が自分の位置で回転しても前記移動スペーサ１４０は前記内側または前記外側に移動できる。つまり、前記偏心部１５２ｃの偏心量により前記移動スペーサ１４０の移動範囲が決定される。
【００４９】
前記駆動部１５３は、前記偏心ピン１５２の下部に結合して前記偏心ピン１５２を回転させる役割を果たす。前記駆動部１５３は、ウォームギア減速機を適用したギヤボックスおよびモータなどで形成され、前記偏心ピン１５２を回転させることができる。前記駆動部１５３が駆動して前記偏心ピン１５２を回転させるので、前記移動スペーサ１４０は前記内側または前記外側に移動できることになる。
【００５０】
このような調節装置１５０は、スラリーが基材にコーティングされる幅をリアルタイムでモニターして内部に設定された設定値と比較する。前記調節装置１５０は、前記スラリーのコーティング幅が設定値と異なれば自動的に移動スペーサ１４０をフィードバック調節する。前記調節装置が移動スペーサを調節する方法について簡単に説明すると、以下の通りである。
【００５１】
まず、前記移動スペーサ１４０は第１ダイ１１０の第１面１１１に対して直交方向にセッティングされている。この状態で前記スロットダイ１００は貯蔵部１１５に貯蔵されたスラリーを吐き出す。前記調節装置１５０は、前記スラリーが基材１０にコーティングされる幅をリアルタイムでモニターする。また、前記調節装置１５０は前記スラリーのコーティング幅を測定してその測定値を記憶し、内部に設定された値と比較する。もし、測定されたスラリーの測定値（コーティング幅）と設定された値の差が発生すれば、前記調節装置１５０は偏心ピン１５２を回転させてスラリーのコーティング幅が設定値と同一となるように移動スペーサ１４０を移動させる。ここで、前記偏心ピン１５２の回転方向は前記スラリーのコーティング幅の測定値と設定値との差によって決定される。さらに、前記偏心ピン１５２の回転範囲はスラリーのコーティング速度と移動スペーサ１４０の移動精度および設定値対測定値の差の程度によって決定される。つまり、スラリーのコーティング速度が速いか設定値対測定値の差の程度が大きいと、前記偏心ピン１５２の回転範囲は大きくなる。反対に、スラリーのコーティング速度が遅く、設定値対測定値の差の程度が小さいと、前記調節装置１５０は精密な制御を行うために偏心ピン１５２の回転範囲を小さくする。さらに、前記調節装置１５０は一定時間ごとにコーティング幅をチェックしたり、コーティング幅の前記差が発生した回数によって前記偏心ピン１５２を調節することができる。また、前記コーティング幅の差が発生した方向を検出し、その方向によって前記偏芯ピン１５２を調節するようにしてもよい。
【００５２】
さらに、前記設定値にある程度範囲を持たせて、測定値がその範囲内にあるか否か（逸脱したか）に応じて前記フィードバック制御を行ってもよい。さらには、測定値と設定値との差が所定の範囲内にあるか否か（逸脱したか）に応じて前記フィードバック制御を行ってもよい。
【００５３】
このように、本発明の一実施例によるスロットダイ１００は第１ダイ１１０と第２ダイ１２０との間に介在した移動スペーサ１４０を含み、前記移動スペーサ１４０を調節することによって、基材１０に塗布されるスラリーのコーティング幅を調節できる。
【００５４】
また、本発明の一実施例によるスロットダイ１００は中心から一側に偏心した偏心ピン１５２を備えることによって、前記偏心ピン１５２が回転して移動スペーサ１４０の動きを調節できる。
【００５５】
次に、本発明の他の実施例による移動スペーサについて説明する。図９は、本発明の他の実施例による移動スペーサの平面図である。図９に示されている移動スペーサ２４０は、図６ａ及び６ｂに示されている移動スペーサ１４０に類似している。以下、その差異点についてだけ説明する。
【００５６】
図９を参照すれば、本発明の他の実施例による移動スペーサ２４０は第１移動スペーサ２４１、第２移動スペーサ２４２および変形部２４３を含む。ここで、前記移動スペーサ２４０は図６ａ及び６ｂに示されている移動スペーサ１４０において、第１、２結合部１４１ｃ、１４２ｃなしに、第１移動スペーサ２４１および第２移動スペーサ２４２が一体に形成されたものである。
【００５７】
前記第１移動スペーサ２４１および前記第２移動スペーサ２４２にはそれぞれガイドホール２４１ａ、２４２ａが形成され、調節装置１５０の偏心ピン１５２が結合する。また、前記移動スペーサ２４０の下端中心部には基準ホール２４０ｂが形成され、調節装置１５０の基準ピン１５１が結合する。つまり、前記移動スペーサ２４０は図６ａ及び６ｂに示されている移動スペーサ１４０のガイドホール１４１ａ、１４２ａおよび基準ホール１４１ｂ、１４２ｂと対応する部分に、ガイドホール２４１ａ、２４２ａおよび基準ホール２４０ｂが形成されている。ただし、前記移動スペーサ２４０は一体に形成されているので、基準ホール２４０ｂが一つだけ形成される。また、前記第１移動スペーサ２４１および第２移動スペーサ２４２の外側周縁には角部２４１ｄ、２４２ｄが形成されており、前記角部２４１ｄ、２４２ｄにはチャンファが形成されている。
【００５８】
前記変形部２４３は前記移動スペーサ２４０の両側に形成され、前記第１移動スペーサ２４１および前記第２移動スペーサ２４２の幅より相対的に薄く形成された部分である。また、前記変形部２４３は前記移動スペーサ２４０の中央に横方向に形成されたホール２４３ａによって、その幅が前記第１移動スペーサ２４１および前記第２移動スペーサ２４２の幅より薄く形成される。
【００５９】
前記変形部２４３は前記移動スペーサ２４０が内側または外側に移動するとき、曲がることによってスラリーが吐き出される幅を調節することができる。前記偏心ピン１５２は、前記第１ダイ１１０を貫通して前記第１移動スペーサ２４１の第１ガイドホール２４１ａおよび前記第２移動スペーサ２４２の第２ガイドホール２４２ａに嵌入して結合する。前記偏心ピン１５２は回転運動をして前記移動スペーサ２４０の第１移動スペーサ２４１と第２移動スペーサ２４２とを前記基準ホールに嵌入した前記基準ピン１５１を中心軸として、その中心軸と二つの移動スペーサ２４１及び２４２の作り出す角度が広がるように外側に或いは前記角度が狭くなるように内側に移動させる。
【００６０】
前記二つの移動スペーサ２４１及び２４２の前記中心軸を中心にした角度を外側に広くしてスラリーが吐き出される幅を狭くし、前記中心軸を中心にした前記二つの移動スペーサ２４１及び２４２の角度を内側に狭くし、あるいはそれらの間を閉じて、スラリーが吐き出される幅を広くすることができる。
【００６１】
以上で説明したことは本発明によるスロットダイを実施するための一実施例に過ぎないものであって、本発明は前述した実施例に限定されるものではなく、以下の特許請求の範囲で請求するような本発明の要旨を逸脱しない範囲内において、本発明の属する分野で通常の知識を有する者であれば、誰でも多様な変更実施が可能である。
【符号の説明】
【００６２】
１００  スロットダイ
１１０  第１ダイ
１１１  第１面
１１２  第２面
１１３  第３面
１１４  第４面
１１５  貯蔵部
１１６  注入口
１２０  第２ダイ
１３０  固定スペーサ
１４０、２４０  移動スペーサ
１４１、２４１  第１移動スペーサ
１４１ａ  第１基準ホール
１４１ｂ  第１ガイドホール
１４１ｃ  第１結合部
１４１ｄ  第１角部
１４２、２４２  第２移動スペーサ
１４２ａ  第２基準ホール
１４２ｂ  第２ガイドホール
１４２ｃ  第２結合部
１４２ｄ  第２角部
２４３  変形部
１５０  調節装置
１５１  基準ピン
１５２  偏心ピン
１５２ａ  メイン柱
１５２ｂ  支持部
１５２ｃ  偏心部
１５３  駆動部
【図１】
2013176748.tif 000003
【図２】
2013176748.tif 000004
【図３】
2013176748.tif 000005
【図４ａ】
2013176748.tif 000006
【図４ｂ】
2013176748.tif 000007
【図５】
2013176748.tif 000008
【図６ａ】
2013176748.tif 000009
【図６ｂ】
2013176748.tif 000010
【図７ａ】
2013176748.tif 000011
【図７ｂ】
2013176748.tif 000012
【図８ａ】
2013176748.tif 000013
【図８ｂ】
2013176748.tif 000014
【図９】
2013176748.tif 000015